(57)【要約】      （修正有）【課題】ＦＳＣディスプレイにおける色割れを、画質の劣化を伴わずに最善に軽減しうる色順次表示方式液晶表示装置用の色表示方法を提供する。【解決手段】Ｒ，Ｇ，Ｂ３原色等の複数の色と一対一に対応づけた複数の色フィールドを所定の順序で表示するにあたり、複数の色フィールドのうちのいずれか１または２以上の色フィールドの直前に、黒色と対応づけた１または２以上の黒フィールドを、液晶表示装置内のバックライトの消灯により付加するものとした上で、さらに、黒フィールドに後続する色フィールドを表示する電圧を、色フィールドに先行する１または２以上の黒フィールドの経過中に液晶表示装置内の液晶駆動手段で前もって印加する。【選択図】図１
2009109639.tif 000002
【特許請求の範囲】
【請求項１】
複数の色と一対一に対応づけた複数の色フィールドを所定の順序で表示する色順次表示方式液晶表示装置用の色表示方法において、前記複数の色フィールドのうちのいずれか１または２以上の色フィールドの前および/または後に、黒色と対応づけた１または２以上の黒フィールドを、前記液晶表示装置内のバックライトの消灯により付加するものとし、さらに、前記黒フィールドに後続する色フィールドの表示を駆動する電圧を、該色フィールドに先行する１または２以上の黒フィールドの経過中に前記液晶表示装置内の液晶駆動側へ前もって印加することを特徴とする色順次表示方式液晶表示装置用の色表示方法。
【請求項２】
請求項１に記載の色表示方法を実行する機能を有する色順次表示方式液晶表示装置。
【発明の詳細な説明】
【技術分野】
【０００１】
本発明は、色順次表示方式液晶表示装置用の色表示方法に関する。
【背景技術】
【０００２】
フィールドシーケンシャルカラー（ＦＳＣ；色順次表示方式）薄膜トランジスタ（ＴＦＴ）液晶表示装置（ＬＣＤ）は、光の三原色である赤（Ｒ），緑（Ｇ），青（Ｂ）をＬＣＤの同じ画素上に１フレーム内に順次表示する方式を用いたディスプレイである。ＦＳＣディスプレイが抱える最大の難点は、色割れ（カラーブレイクアップ）が生じること、および、液晶の高速応答性が要求されることにある。
【０００３】
色割れに関しては、本発明者らが本願より先に出願した色順次表示方式液晶表示装置用の色表示方法、すなわち、前記３原色の組の前および／または後に１または２以上のフィールド分の黒色を付加し、該付加した組内の色を順次表示する色表示方法（特許文献１）によって、実用的に解決できる。
【特許文献１】特開２００７−２６４２１１号公報
【発明の開示】
【発明が解決しようとする課題】
【０００４】
一方、高速応答性に関しては、ＯＣＢ（光学補償ベンド）モード液晶を用いることで、実用レベルには達するものの、液晶のリタデーション特性（液晶の屈折率異方性を利用して、偏光方向の異なる光に発生させた光の位相差）を用いるこれらの液晶モードの場合は、例えば図１に示すように、Ｒ，Ｇ，Ｂの応答時間が異なるため、デバイスとして使いにくいという課題がある。というのは、リタデーション特性を用いるＬＣＤの場合、あらゆる表示色の波長において同じ透過率を得るためには、その波長に比例した位相差を必要とし、すなわち液晶分子の配向状態の遷移量が波長に応じて大きくなる必要があり、そのため、長波長ほど応答時間が長くなり（すなわち応答速度が遅くなり）、画像表示の１フレーム時間内で所望の透過率に達することができずに色純度が低下するなど、画質に影響を与える場合があるからである。
【０００５】
本発明は上述の課題を解決し、ＦＳＣディスプレイにおける色割れを、画質の劣化を伴わずに最善に軽減しうる色順次表示方式液晶表示装置用の色表示方法を提供することを目的とする。
【課題を解決するための手段】
【０００６】
発明者らは、前記目的を達成するために鋭意検討し、その結果、特許文献１に記載の技術に基づき、複数の色（例えばＲ，Ｇ，Ｂの３原色）と一対一に対応づけた複数の色フィールドを所定の順序で表示する色順次表示方式液晶表示装置用の色表示方法において、前記複数の色フィールドのうちのいずれか１または２以上の色フィールドの直前に、黒色と対応づけた１または２以上の黒フィールドを、前記液晶表示装置内のバックライトの消灯により付加するものとした上で、さらに、前記黒フィールドに後続する色フィールドを表示する電圧を、該色フィールドに先行する１または２以上の黒フィールドの経過中に前記液晶表示装置内の液晶駆動手段で前もって印加することにより、電圧印加時間を２倍に増やし、該色フィールドの応答速度の不足分を補償できることに想到し、本発明をなした。
【０００７】
すなわち、本発明の方法は、複数の色と一対一に対応づけた複数の色フィールドを所定の順序で表示する色順次表示方式液晶表示装置用の色表示方法において、前記複数の色フィールドのうちのいずれか１または２以上の色フィールドの前および/または後に、黒色と対応づけた１または２以上の黒フィールドを、前記液晶表示装置内のバックライトの消灯により付加するものとし、さらに、前記黒フィールドに後続する色フィールドの表示を駆動する電圧を、該色フィールドに先行する１または２以上の黒フィールドの経過中に前記液晶表示装置内の液晶駆動側へ前もって印加することを特徴とする色順次表示方式液晶表示装置用の色表示方法である。
【０００８】
また、本発明の装置は、前記本発明の方法を実行する機能を有する色順次表示方式液晶表示装置である。
【発明の効果】
【０００９】
本発明によれば、いずれかの色に対応する色フィールドの前に、バックライトの消灯による黒フィールドを１つまたは２つ以上付加し、該黒フィールドの経過中に後続の色フィールドの表示を駆動する電圧を液晶駆動側に前もって印加するので、黒フィールドに後続する色フィールドへの電圧印加時間が２倍あるいは２倍超に増大する。よって、当該色フィールドの表示用液晶が応答速度の遅いものであっても、その応答速度の不足分を補償することができて、画質の劣化なく、色割れを最善に低減できる。
【発明を実施するための最良の形態】
【００１０】
３色の色フィールドを所定の順序で表示する色順次表示方式液晶表示装置を対象とした場合について、本発明の好適実施形態を述べる。なお、以下の説明では、前記３色の色フィールドに対応するバックライトの点灯色をそれぞれ記号Ｃ１、Ｃ２、Ｃ３、該バックライトの消灯（すなわち黒フィールドに対応）をＫで表し、液晶駆動側へ印加する記号Ｃ１、Ｃ２、Ｃ３の表示駆動電圧（例えばＴＦＴセルに書き込む電圧）の電圧レベルそれぞれ記号ｃ１、ｃ２、ｃ３、黒電圧あるいは任意の電圧の電圧レベルを記号ｘで表すものとする。
【００１１】
（１） Ｃ１フィールドの表示応答速度が最も遅く（例えばＣ１＝Ｒ）、Ｃ１フィールドにおいてＦＳＣディスプレイの実用上応答速度が不足するような場合（ただしこの場合に限定されるわけではない）、色フィールドの表示順と該フィールド内で液晶駆動側へ印加する表示駆動電圧の電圧レベル順は、次のとおりにするのが好ましい。
(1A) 黒フィールドが３つの場合、次のうちのいずれかとする。
[1A1]：（Ｃ１Ｃ２Ｃ３ＫＫＫ，ｃ１ｃ２ｃ３ｘｘｃ１）
[1A2]：（ＫＣ１Ｃ２Ｃ３ＫＫ，ｃ１ｃ１ｃ２ｃ３ｘｘ）
[1A3]：（ＫＫＣ１Ｃ２Ｃ３Ｋ，ｘｃ１ｃ１ｃ２ｃ３ｘ）
[1A4]：（ＫＫＫＣ１Ｃ２Ｃ３，ｘｘｃ１ｃ１ｃ２ｃ３）
(1B) 黒フィールドが１つの場合、次のうちのいずれかとする。
[1B1]：（Ｃ１Ｃ２Ｃ３Ｋ，ｃ１ｃ２ｃ３ｃ１）
[1B2]：（ＫＣ１Ｃ２Ｃ３，ｃ１ｃ１ｃ２ｃ３）
(1C) 黒フィールドが２つの場合、次のうちのいずれかとする。
[1C1]：（Ｃ１Ｃ２Ｃ３ＫＫ，ｃ１ｃ２ｃ３ｘｃ１）
[1C2]：（ＫＣ１Ｃ２Ｃ３Ｋ，ｃ１ｃ１ｃ２ｃ３ｘ）
[1C3]：（ＫＫＣ１Ｃ２Ｃ３，ｘｃ１ｃ１ｃ２ｃ３）
(1D) 黒フィールドが４つ以上（ｎ個）の場合、次のうちのいずれかとする。
[1D1]：（Ｃ１Ｃ２Ｃ３ＫＫ…ＫＫ，ｃ１ｃ２ｃ３ｘｘ…ｘｃ１）
[1D2]：（ＫＣ１Ｃ２Ｃ３ＫＫ…Ｋ，ｃ１ｃ１ｃ２ｃ３ｘｘ…ｘ）
[1D3]：（ＫＫＣ１Ｃ２Ｃ３Ｋ…Ｋ，ｘｃ１ｃ１ｃ２ｃ３ｘ…ｘ）
………
[1Dn+1]：（ＫＫ…ＫＫＣ１Ｃ２Ｃ３，ｘｘ…ｘｃ１ｃ１ｃ２ｃ３）
ただし、動画表示の場合、１順目の先頭フィールドも黒フィールドとしてこれに後続の色フィールドに対応する電圧を予め印加できるようにするのが望ましいので、(1A)では[1A1]が、(1B)では[1B1]が、(1C)では[1C1]が、(1D)では[1D1]が、それぞれ除かれる。
【００１２】
（２）Ｃ１フィールドの表示応答速度が最も遅く（例えばＣ１＝Ｒ）、Ｃ２フィールドの表示応答速度が２番目に遅く（例えばＣ２＝Ｇ）、Ｃ１、Ｃ２の各フィールドにおいてＦＳＣディスプレイの実用上応答速度が不足するような場合（ただしこの場合に限定されるわけではない）、色フィールドの表示順と該フィールド内で液晶駆動側へ印加する表示駆動電圧の電圧レベル順は、次のとおりにするのが好ましい。
【００１３】
(2A) 黒フィールドが３つの場合、次のうちのいずれかとする。
[2A1]：（Ｃ１ＫＣ２Ｃ３ＫＫ，ｃ１ｃ２ｃ２ｃ３ｘｘ）
[2A2]：（ＫＣ１ＫＣ２Ｃ３Ｋ，ｃ１ｃ１ｃ２ｃ２ｃ３ｘ）
[2A3]：（ＫＫＣ１ＫＣ２Ｃ３，ｘｃ１ｃ１ｃ２ｃ２ｃ３）
(2B) 黒フィールドが２つの場合、次のうちのいずれかとする。
[2B1]：（Ｃ１ＫＣ２Ｃ３Ｋ，ｃ１ｃ２ｃ２ｃ３ｃ１）
[2B2]：（ＫＣ１ＫＣ２Ｃ３，ｃ１ｃ１ｃ２ｃ２ｃ３）
(2C) 黒フィールドが４つ以上（ｎ個）の場合、次のうちのいずれかとする。
[2C1]：（Ｃ１ＫＣ２Ｃ３ＫＫ…Ｋ，ｃ１ｃ２ｃ２ｃ３ｘｘ…ｘ）
[2C2]：（ＫＣ１ＫＣ２Ｃ３ＫＫ…Ｋ，ｃ１ｃ１ｃ２ｃ２ｃ３ｘｘ…ｘ）
[2C3]：（ＫＫＣ１ＫＣ２Ｃ３Ｋ…Ｋ，ｘｃ１ｃ１ｃ２ｃ２ｃ３ｘ…ｘ）
………
[2Cn]：（ＫＫ…ＫＫＣ１ＫＣ２Ｃ３，ｘｘ…ｘｃ１ｃ１ｃ２ｃ２ｃ３）
ただし、動画表示の場合、１順目の先頭フィールドも黒フィールドとしてこれに後続の色フィールドに対応する電圧を予め印加できるようにするのが望ましいので、(2A)では[2A1]が、(2B)では[2B1]が、(2C)では[2C1]が、それぞれ除かれる。
（３）Ｃ１、Ｃ２、Ｃ３の各色フィールドにおいてＦＳＣディスプレイの実用上応答速度が不足するような場合（ただしこの場合に限定されるわけではない）、色フィールドの表示順と該フィールド内で液晶駆動側へ印加する表示駆動電圧の電圧レベル順は、次のとおりとするのが好ましい。
【００１４】
(3A) 黒フィールドが３つの場合、次のうちのいずれかとする。
[3A1]：（Ｃ１ＫＣ２ＫＣ３Ｋ，ｃ１ｃ２ｃ２ｃ３ｃ３ｃ１）
[3A2]：（ＫＣ１ＫＣ２ＫＣ３，ｃ１ｃ１ｃ２ｃ２ｃ３ｃ３）
(3B) 黒フィールドが４つ以上（ｎ個）の場合、次のうちのいずれかとする。
[3B1]：（Ｃ１ＫＣ２ＫＣ３Ｋ…Ｋ，ｃ１ｃ２ｃ２ｃ３ｃ３ｘ…ｘ）
[3B2]：（ＫＣ１ＫＣ２ＫＣ３Ｋ…Ｋ，ｃ１ｃ１ｃ２ｃ２ｃ３ｃ３ｘ…ｘ）
………
[3Bn-1]：（Ｋ…ＫＣ１ＫＣ２ＫＣ３，ｘ…ｘｃ１ｃ１ｃ２ｃ２ｃ３ｃ３）
ただし、動画表示の場合、１順目の先頭フィールドも黒フィールドとしてこれに後続の色フィールドに対応する電圧を予め印加できるようにするのが望ましいので、(3A)では[3A1]が、(3B)では[3B1]が、それぞれ除かれる。
【実施例】
【００１５】
（比較例）
比較例として、６０フレーム/秒で駆動するＯＣＢモードＦＳＣ−ＬＣＤに対し、色フィールドの表示順と該フィールド内で液晶駆動側へ印加する表示駆動電圧の電圧レベル順を（ＲＧＢＫＫＫ，ｒｇｂｒｇｂ）とした場合について、バックライト（ＬＥＤからなるスキャニングバックライト）の点灯および液晶駆動側への電圧印加（液晶駆動手段をなすＴＦＴへの書き込み）のタイミングチャートを表１に示す。
【００１６】
表の様式を述べると、縦方向は、バックライトを横切断線で１０分割してなるブロックを上から順に示している。横方向は時間であり、１色フィールドは約２．８ｍｓ、その１／１０（約０．２８ｍｓ）が１ノッチである。各欄が１ノッチに対応する。欄内の英字は、大文字がバックライト点灯色（Ｋは消灯）、小文字がＴＦＴへの書き込み電圧レベルを表す。バックライト点灯時間は、各色フィールド内の第７〜第１０ノッチ分に割り当てられている（点灯時間≒０．２８×４≒１．１ｍｓ）。したがって、十分な表示を得るには液晶応答時間は約１．７ｍｓ以下であることが望ましい。
【００１７】
しかしながら、ここで用いたＬＣＤでは、液晶の各色表示（波長）における透過率応答時間は、青（Ｂ）が１．２ｍｓ、緑（Ｇ）が１．６ｍｓ、赤（Ｒ）が２．０ｍｓであった。そのため、赤表示が不十分であった。
【００１８】
【表１】
2009109639.tif 000003
【００１９】
【表２】
2009109639.tif 000004
【００２０】
【表３】
2009109639.tif 000005
【００２１】
（本発明例）
本発明例として、比較例において前記（ＲＧＢＫＫＫ，ｒｇｂｒｇｂ）に代えて（ＫＲＧＢＫＫ，ｒｒｇｂｘｘ）とした場合について、バックライト（ＬＥＤからなるスキャニングバックライト）の点灯および液晶駆動側への電圧印加（液晶駆動手段をなすＴＦＴへの書き込み）のタイミングチャートを表２（様式は表１と同じ）に示す。同表から明らかなように、本発明によれば、Ｒフィールドに先行するＫフィールドで前もってＲに対応する電圧ｒを印加するので、赤の応答時間（２．０ｍｓ）よりも十分長いｒ印加時間（約４．４ｍｓ）を稼ぐことができ、十分な赤表示が得られる。
【００２２】
【表４】
2009109639.tif 000006
【００２３】
【表５】
2009109639.tif 000007
【００２４】
【表６】
2009109639.tif 000008
【図面の簡単な説明】
【００２５】
【図１】ＯＣＢモード液晶の透過率応答特性の１例（オフの場合）を示すグラフである。
【符号の説明】
【００２６】
Ｒ：赤
Ｇ：緑
Ｂ：青
【図１】
2009109639.tif 000009